(57)【特許請求の範囲】
【請求項１】
頂部に三叉の端部ジョイントを止着する４本の柱材と、隣接する柱材の端部ジョイント同士を相互に連結する梁材と、対角線上の端部ジョイント間に張力調整部材を介在して張架する線材と、交差する線材上に伸縮可能に立設して幕を支持する束材とを備えるテントにおいて、前記端部ジョイントは、前記線材を挿通して張架時には一端を固定しテント撤収時には固定状態を解除し得る管体を突設し、前記束材は、各管体の先端に折畳可能に枢支して幕支持部材又は幕支持部材より垂下する短柱に集中する４本の斜材を有し、この短柱は張架する線材交差部に下端を支持することを特徴とするテント。
【請求項２】
前記端部ジョイントは、前記線材の端部を張り角度変更可能に収容する凹部内にフックを突設し、このフックの前方に前記管体の後端を張り角度に応じて係止する板体を設けることを特徴とする請求項１記載のテント。
【請求項３】
前記端部ジョイントは、前記線材を方向転換して少なくとも１の柱材下端に設ける掛止部まで延伸し得る方向転換部を有し、前記線材は、この掛止部近傍に取外し可能な線材巻取器具を付設することを特徴とする請求項２記載のテント。
【発明の詳細な説明】
【０００１】
【発明の属する技術分野】
この発明は、柱材頂部に線材を張架し、この交差する線材上に束材を立設して幕を支持する構成のテントに関する。
【０００２】
【従来の技術】
柱間隔が６ｍ以上にもなる大型テントでは、特に屋根の構造が重要であり、一般にはトラス等で小屋組みを形成し、これに幕を取り付けていた。
【０００３】
【発明が解決しようとする課題】
しかし、このような構造の大型テントは、骨組が堅固となるため長期の設営には適しているが、一時的な設営に使用する場合には過剰な部材構成であったし、又剛な骨組で幕を支持していたため幕に弛みが生じてしまう欠点があった。即ち、幕は小屋組みの頂部から柱間に設けられる梁材を覆う形で展開するが、単に幕と部材を所々で係止するだけの構成であったので、幕に張力が与えられなかった。幕に弛みが生ずると、その箇所に雨水が溜まり雨漏りが生じてしまう恐れがあった。
【０００４】
この発明は、上記課題を解決し、大型テントであっても構成が簡易で、幕に弛みが生じ難く、雨漏りのおそれのないテントを提供することを目的としている。又風圧による屋根材の振動が小さい、設営作業が大掛りにならず少ない作業員でも設営・撤収が可能な、短辺と長辺の比率変更が可能な、又かなり大きなサイズであっても線材の緊張が可能なテントを提供することを目的としている。
【０００５】
【課題を解決するための手段】
上記課題を解決するため、この発明のテントは、頂部に三叉の端部ジョイントを止着する４本の柱材と、隣接する柱材の端部ジョイント同士を相互に連結する梁材と、対角線上の端部ジョイント間に張力調整部材を介在して張架する線材と、交差する線材上に伸縮可能に立設して幕を支持する束材とを備えるテントにおいて、前記端部ジョイントは、前記線材を挿通して張架時には一端を固定しテント撤収時には固定状態を解除し得る管体を突設し、前記束材は、各管体の先端に折畳可能に枢支して幕支持部材又は幕支持部材より垂下する短柱に集中する４本の斜材を有し、この短柱は張架する線材交差部に下端を支持することを特徴とするものである。
【０００６】
柱材を結ぶ対角線に線材を張り、束材で幕を突き上げながら支持するもので、緊張した線材交差部で束材下端を支持すると同時に幕の下縁を梁材に係止する。線材は弾性的に上下動可能であるため束材を介して幕に常に一定のテンションを付与することができ、しかも張架した後張力調整部材を使用することで線材に十分なテンションを付与することができ幕に弛みが生じ難くなる。
【０００７】
又束材が伸縮可能であるため、線材の張力に合わせて束材の高さを変更することができる。即ち、柱梁が完全に固定されるまでは束材の高さを低めにして線材が緩んだ状態に対応できるようにし、柱梁の箱状骨組を形成した後に束材先端に幕を取り付けると同時に所定の長さまで伸長し、その後線材の張力調整を行うと設営が容易になる。
【０００９】
管体は線材を張架する時、端部ジョイントに一端を固定し、テントを撤収する際には固定状態を解除する。管体の長さは、束材を構成する斜材の角度と短柱の振動を考慮して適宜定める。設営する際には先ず端部ジョイントに線材を取り付け柱材と梁材とを連結して箱状骨組を形成し、次いで管体を端部ジョイントに固定し、線材の張力調整を行う。
【００１０】
管体は端部ジョイントに固定されているため、束材を介して線材に荷重が作用しても、管体先端の振幅は抑制される。従って実質上線材は対向する管体間で振幅可能となるので、短柱及び斜材で支持する幕に上向きテンションを付与するが、風圧による屋根材の振動は少なくなる。
【００１１】
請求項２記載のテントの端部ジョイントは、前記線材の端部を張り角度変更可能に収容する凹部内にフックを突設し、このフックの前方に前記管体の後端を張り角度に応じて係止する板体を設けることを特徴とするものである。
【００１２】
隣接する梁材の長さが異なる場合には線材の張り角度は４５度から振れることになるが、線材端部を収容する凹部を大きめに形成することで線材の直線性を確保し部材の安全性を高める。
【００１３】
請求項３記載のテントの端部ジョイントは、前記線材を方向転換して少なくとも１の柱材下端に設ける掛止部まで延伸し得る方向転換部を有し、前記線材は、この掛止部近傍に取外し可能な線材巻取器具を付設することを特徴とするものである。線材は、少なくとも対角線長さと一方の柱上部から掛止部までの長さを有し線材端部を掛止部まで引き下げると、斜材は幕と共に上方に押し上げられる。
【００１４】
線材巻取器具のワイヤーを線材に取り付け、このワイヤーを巻き込むことで線材を引張り、下端を掛止部まで容易に引き下げる。線材巻取器具は、設営・撤収時にのみ線材に係止することで、テント柱に不要な突出物を設けない。
【００１５】
テントを撤収する場合には、掛止部より線材端部を外し、線材を緩めながら管体を端部ジョイントから取外す。斜材を降下させて幕を撤去し、梁材を端部ジョイントから引き抜くと、４本の柱材は中央に線材、束材を折畳んだ状態で結集することができる。
【００１６】
【発明の実施の形態】
次にこの発明の実施の形態を添付図面に基づき詳細に説明する。図１は幕を省略したテント組立時の斜視図、図２は端部ジョイントの平面図、図３は一部を省略した束材の要部斜視図である。テント１は、４本の柱材２と、この柱材２の頂部に嵌入する三叉の端部ジョイント３と、隣接する端部ジョイント３同士を相互に連結する梁材４と、対角線上の端部ジョイント３間に張架する線材５と、交差する線材５上に立設して幕６を支持する束材７とを備える。
【００１７】
端部ジョイント３の上面には、線材端部のリング５ａを収容する凹部３ａを設け、その中心にフック３ｂを突設し、このフック３ｂの前方に扇形の板体３ｃを跳ね出す。板体３ｃには線材５を挿通する管体後端を係止するためのボルト孔３ｄを複数穿設する。線材５の張り角度に応じてボルト孔３ｄを適宜選択し、止め金具８ａを用いて固定する。
【００１８】
束材７は、幕支持部材９より垂下する短柱１０と、各管体８の先端に折畳可能に枢支して短柱１０に集中する４本の斜材１１を有する。斜材１１は管体８の先端に設ける接続部材８ｂ及び短柱１０に突設する接続部材１０ａと夫々ヒンジ結合する。短柱１０は継手部１０ｂの存在により伸縮可能であって下端１０ｃは線材５の交差部５ｂに位置する。又線材５の中間には張力調整部材であるターンバックル１２を介在させる。
【００１９】
テント１を設営する時には、先ず柱材２と梁材４を連結して箱状骨組を形成するが、この時線材５は緩められており管体８も固定しない。又束材７の高さは低めにして線材５が緩んだ状態に対応できるようにし、箱状骨組を形成した後に幕６を取り付け、同時に短柱１０を所定の長さまで伸長し、その後ターンバックル１２を用いて線材５の張力調整を行う。
【００２０】
線材５の張り角度は端部ジョイント３の凹部３ａが拡幅されているため直線性を保ちながら例えば３０度又は６０度方向にも振ることができる。従って隣接する梁材４の長さが変更された場合にも対応可能である。
【００２１】
次に別の実施形態を図４乃至図９に基づき説明する。図４は別の実施形態の幕を省略したテント組立時の斜視図である。テント１０１の端部ジョイント１０３には、管体１０８を脱着可能に取り付ける。線材１０５は端部ジョイント１０３に設ける方向転換部１０９を経て一方の柱材１０２に沿って垂下し、下端に設ける掛止部１１０まで延伸する。
【００２２】
束材１０７は、幕支持部材１１１に集中する４本の斜材１１２と、短柱１１３を有する。掛止部１１０の近傍には線材巻取器具であるシメラー１１５を取外し可能に付設する。又柱材１０２の下端には高さ調整可能なジャッキベース１１６を設ける。
【００２３】
端部ジョイント１０３は隅角部に管体１０８に嵌入する円筒突起体１１７を突設する。円筒突起体１１７と管体１０８はピン１１８を抜き差しすることで分離又は固定を可能とする。方向転換部１０９は線材１０５を滑車１０９ａとガイド１０９ｂにより柱材１０２に沿って方向転換する。図７に示す対角線上で対向する他の端部ジョイント１０３では、線材１０５の端部にはストッパ１１９が固着され、円筒突起体１１７の背面で係止される。
【００２４】
柱材１０２に沿って垂下する線材１０５は、図８の拡大断面図にも示すように掛止部１１０のフック１１０ａに先端環状部１０５ｂを掛止する。掛止部１１０は柱材１０２の内部に貫入する本体１１０ｂの下面にジャッキベース１１６のハンドル１１６ａを収納する凹部１１０ｃを形成すると共に、その中心に穿設する孔部１１０ｄにジャッキベース１１６のボルト軸１１６ｂを挿通する。
【００２５】
掛止部１１０はボルト１１０ｅにより柱材１０２に固定され、本体１１０ｂの下面に取り付けるプレート１１０ｆでジャッキベース１１６と分離できないようにする。ジャッキベース１１６は基盤１２０にピン１１６ｃで固定されるため、柱材１０２に揚圧力が作用してもこれを支持できる。
【００２６】
シメラー１１５は、巻取ワイヤ１１５ａの端部に設ける留め具１１５ｂを線材１０５の適所に取り付けると共に、他端の係止部材１１５ｃを柱材１０２の下端に引っ掛ける。ハンドル１１５ｄを操作して巻取ワイヤ１１５ａをドラム１１５ｅに巻き付けると、線材１０５を徐々に引き下げることができる。
【００２７】
テント１０１を設営する時には、先ず柱材１０２と梁材１０４とを連結して箱状骨組を形成する。この時図９に示すように線材１０５は緩められており管体１０８も固定していないので、線材１０５は中央に略Ｕ字状に垂れ下がり、管体１０８も下向きとなっている。又管体１０８の先端に折畳可能に枢支する斜材１１２は、管体１０８に対して上方に折れ曲がるが、その上部の幕支持部材１１１は柱材１０２と略同一の高さに位置する。
【００２８】
ここで幕支持部材１１１に幕１０６を取り付ける。次に線材１０５にシメラー１１５の留め具１１５ｂを取り付け、巻取作業を開始する。線材１０５を徐々に引き下げ先端環状部１０５ｂをフック１１０ａに掛止する。この時線材１０５は対角線上で水平となり斜材１１２は幕１０６と共に上方に押し上げられる。即ち、クレーン等を使用しなくとも幕１０６を上部に展開することができる。
【００２９】
管体１０８を端部ジョイント３の円筒突起体１１７に嵌入し、ピン１１８を差し込んで固定する。ターンバックル１１４を利用して線材１０５の張力調整を行い、緊張した線材交差部１０５ｂに短柱１１３の下端を支持すると同時に幕１０６の下縁四辺を梁材１０４に係止する。
【００３０】
撤収する場合には、再度シメラー１１５の留め具１１５ｂを線材１０５に取り付け、一旦線材１０５を引き下げて先端環状部１０５ｂをフック１１０ａから外し、今度は徐々に緩めながら管体１０８を端部ジョイント１０３から取外す。斜材１１２を降下させて幕１０６を撤去し、梁材１０４を端部ジョイント１０３から引き抜くと、４本の柱材１０２は端部ジョイント１０３を介して中央に線材１０５、束材１０７を折畳んだ状態で結集することができる。
【００３１】
なお以上説明したテントの線材は一方の柱上部から掛止部まで延伸する長さであったが、双方の柱に延伸するものでもよい。この場合には各端部ジョイントに方向転換部を設ける。
【００３２】
【発明の効果】
以上説明したように、この発明のテントは、交差する線材上に伸縮可能に立設して幕を支持する束材を備えるので、束材を介して幕に常に一定のテンションを付与することができ、しかも張架した後張力調整部材を使用することで線材に十分なテンションを付与することができ幕に弛みが生じ難くなる。又束材が伸縮可能であるため、線材の張力に合わせて束材の高さを変更することができ設営が容易になる。
【００３３】
又この発明のテントは、線材を挿通して脱着可能に突設する管体と管体の先端に折畳可能に枢支する斜材を有するので、線材は対向する管体間で振幅可能となり風圧による屋根材の振動は少なくなる。
【００３４】
請求項２記載のテントの端部ジョイントは、線材端部を収容する凹部を大きめに形成することで隣接する梁材の長さが異なる場合にも線材の直線性を確保し部材の安全性を高めることができる。
【００３５】
請求項３記載のテントは、少なくとも１の柱材下端に設ける掛止部まで延伸し得る線材を有するので、線材を引き下げることで幕を押し上げることが可能となる。又掛止部近傍に取外し可能な線材巻取器具を付設するので、線材を掛止部まで容易に引き下げることができる。又線材巻取器具は、設営・撤収時にのみ線材に係止することができるので、テント内に不要な突出物が無い。
【図面の簡単な説明】
【図１】幕を省略したテント組立時の斜視図である。
【図２】端部ジョイントの平面図である。
【図３】一部を省略した束材の要部斜視図である。
【図４】別の実施形態の幕を省略したテント組立時の斜視図である。
【図５】方向転換部を備える端部ジョイントの平面図である。
【図６】図５のVI−VI断面を示す断面図である。
【図７】方向転換部を備えない端部ジョイントの断面図である。
【図８】柱材下端の一部を省略した拡大断面図である。
【図９】テント組立手順を説明する斜視図である。
【符号の説明】
１  テント
２  柱材
３  端部ジョイント
４  梁材
５  線材
６  幕
７  束材
８  管体
１０  短柱
１１  斜材
１２  ターンバックル
【図１】
0003662830.tif 000002
【図２】
0003662830.tif 000003
【図３】
0003662830.tif 000004
【図４】
0003662830.tif 000005
【図５】
0003662830.tif 000006
【図６】
0003662830.tif 000007
【図７】
0003662830.tif 000008
【図８】
0003662830.tif 000009
【図９】
0003662830.tif 000010